(57)【要約】【課題】  工事現場の点検作業において、より精度の高い点検結果を得ることのできる点検作業支援装置及びプログラムを提供する。【解決手段】  工事現場の点検を支援する携帯可能な点検作業支援装置１であって、当該点検項目に対する入力可能な評価点数の範囲を記憶する点検項目マスタＤＢ４１を備え、ＣＰＵ２によって、点検項目マスタＤＢ４１に記憶されている点検項目及び入力可能な評価点数の範囲を表示部７に表示し、表示された点検項目の中から所望の点検項目を選択し、選択した点検項目についての評価点数を入力可能な評価点数の範囲で入力部５によって入力し、入力した各評価点数に基づいて、ＣＰＵ２によって点検の総合評価点数を算出し、入力された評価点数及び算出された総合評価点数を表示する。【選択図】図１
2006018565.tif 000002
【特許請求の範囲】
【請求項１】
工事現場の点検を支援する携帯可能な点検作業支援装置であって、
点検項目と、当該点検項目に対する入力可能な評価点数の範囲を記憶する点検項目記憶手段と、
前記点検項目記憶手段に記憶されている点検項目及び入力可能な評価点数の範囲を表示手段に表示させる第１の表示制御手段と、
前記第１の表示制御手段により前記表示手段に表示された点検項目の中から所望の点検項目を選択する点検項目選択手段と、
前記点検項目選択手段によって選択された点検項目についての評価点数を入力可能な評価点数の範囲で入力するための評価点数入力手段と、
前記評価点数入力手段によって入力された各評価点数に基づいて、点検の総合評価点数を算出する総合評価点数算出手段と、
前記評価点数入力手段によって入力された評価点数及び前記総合評価点数算出手段によって算出された総合評価点数を前記表示手段に表示させる第２の表示制御手段と、
を備えることを特徴とする点検作業支援装置。
【請求項２】
前記点検項目選択手段によって選択された点検項目についての是正情報を入力するための是正情報入力手段と、
前記是正情報入力手段によって点検項目の是正情報が入力された場合、当該点検項目についての入力可能な評価点数の範囲を変更する変更手段と、
を備えることを特徴とする請求項１記載の点検作業支援装置。
【請求項３】
前記点検項目記憶手段に記憶されている点検項目についての是正項目を記憶する是正項目記憶手段と、
前記点検項目選択手段により選択された点検項目についての是正項目を前記是正項目記憶手段から取得する是正項目取得手段と、
前記点検項目選択手段によって選択された点検項目と、前記取得手段によって取得された当該点検項目に関する是正項目とを対応付けて前記表示手段に表示させる第３の表示制御手段と、
を備えることを特徴とする請求項２記載の点検作業支援装置。
【請求項４】
前記是正項目記憶手段に記憶されている是正項目の中から、前記点検項目選択手段によって選択された点検項目についての是正項目を選択する是正項目選択手段と、
前記点検項目と、その優先度とを対応付けて記憶する点検項目優先度記憶手段と、
前記是正情報入力手段によって複数の点検項目について是正情報が入力された場合、是正情報が入力された各点検項目に対応する優先度を前記優先度記憶手段から取得する点検項目優先度取得手段と、
前記点検項目優先度取得手段によって取得された優先度に基づいて前記表示手段に表示させる前記各点検項目の順番を決定する表示順決定手段と、
前記表示順決定手段によって決定された順番に従って、前記各点検項目を前記表示手段に表示させるとともに、当該各点検項目と前記是正項目選択手段によって選択された当該各点検項目についての是正項目とを対応付けて表示させる第４の表示制御手段と、
を備えることを特徴とする請求項３記載の点検作業支援装置。
【請求項５】
前記是正項目記憶手段に記憶されている是正項目の中から、前記点検項目選択手段によって選択された点検項目についての是正項目を選択する是正項目選択手段と、
前記是正項目と、その優先度とを対応付けて記憶する是正項目優先度記憶手段と、
前記是正情報入力手段によって複数の点検項目について是正情報が入力された場合、是正情報が入力された各点検項目について前記是正項目選択手段によって選択された各是正項目に対応する優先度を前記是正項目優先度記憶手段から取得する是正項目優先度取得手段と、
前記是正項目優先度取得手段によって取得された優先度に基づいて前記表示手段に表示させる前記各是正項目の順番を決定する表示順決定手段と、
前記表示順決定手段によって決定された順番に従って、前記各是正項目を前記表示手段に表示させるとともに、当該各是正項目とその点検項目とを対応付けて表示させる前記第４の表示制御手段と、
を備えることを特徴とする請求項３記載の点検作業支援装置。
【請求項６】
前記是正項目記憶手段に記憶されている是正項目の中から、前記点検項目選択手段によって選択された点検項目についての是正項目を選択する是正項目選択手段と、
前記点検項目と、その優先度とを対応付けて記憶する点検項目優先度記憶手段と、
前記是正項目と、その優先度とを対応付けて記憶する是正項目優先度記憶手段と、
前記是正情報入力手段によって複数の点検項目について是正情報が入力された場合、是正情報が入力された各点検項目に対応する優先度を前記点検項目優先度記憶手段から取得する点検項目優先度取得手段と、
前記是正情報入力手段によって複数の点検項目について是正情報が入力された場合、是正情報が入力された各点検項目について前記是正項目選択手段によって選択された各是正項目に対応する優先度を前記是正項目優先度記憶手段から取得する是正項目優先度取得手段と、
前記点検項目優先度取得手段によって取得された優先度の点数と、前記是正項目優先度取得手段によって取得された優先度の点数とに基づいて、前記各点検項目とその是正項目との組み合わせに応じた総合優先度を算出する総合優先度算出手段と、
前記総合優先度算出手段によって算出された総合優先度に基づいて、前記表示手段に表示させる前記各点検項目及びその是正項目の順番を決定する表示順決定手段と、
前記表示順決定手段によって決定された順番に従って、前記表示手段に前記各点検項目及びその是正項目を表示させる第４の表示制御手段と、
を備えることを特徴とする請求項３記載の点検作業支援装置。
【請求項７】
建物の図面情報を記憶する図面情報記憶手段と、
前記図面情報記憶手段に記憶されている図面情報を前記表示手段に表示させる第５の表示制御手段と、
前記第５の表示制御手段によって前記表示手段に表示された建物の図面上で、建物の点検箇所に関する点検箇所情報を入力するための点検箇所情報入力手段と、
前記点検箇所情報入力手段によって入力された点検箇所情報と、前記点検項目選択手段によって選択された当該点検箇所の点検項目と、前記是正項目選択手段によって選択された当該点検項目の是正項目とを対応付けて前記表示手段に表示させる第６の表示制御手段と、
を備えることを特徴とする請求項４〜６の何れか一項に記載の点検作業支援装置。
【請求項８】
法律情報を記憶する法律情報記憶手段と、
前記法律情報の閲覧要求情報を入力するための閲覧要求情報入力手段と、
を備え、
前記閲覧要求情報入力手段によって閲覧要求情報が入力された場合、前記法律情報記憶手段に記憶されている前記法律情報を表示手段に表示させる第７の表示制御手段と、
を備えることを特徴とする請求項１〜７の何れか一項に記載の点検作業支援装置。
【請求項９】
点検項目と当該点検項目に対する入力可能な評価点数の範囲を記憶する点検項目記憶手段と、表示手段を備える携帯可能なコンピュータに、
前記点検項目記憶手段に記憶されている点検項目及び入力可能な評価点数を前記表示手段に表示させる第１の表示制御機能と、
前記第１の表示制御機能により前記表示手段に表示された点検項目の中から所望の点検項目を選択する点検項目選択機能と、
前記点検項目選択機能によって選択された点検項目についての評価点数を入力可能な評価点数の範囲で入力するための評価点数入力機能と、
前記評価点数入力機能によって入力された各評価点数に基づいて、点検の総合評価点数を算出する総合評価点数算出機能と、
前記評価点数入力機能によって入力された評価点数及び前記総合評価点数算出機能によって算出された総合評価点数を前記表示手段に表示させる第２の表示制御機能と、
を実現させるためのプログラム。
【発明の詳細な説明】
【技術分野】
【０００１】
本発明は、点検作業支援装置及びプログラムに関する。
【背景技術】
【０００２】
従来、マンション等の建物の建築現場にて安全点検を行う場合には、検査者が安全点検チェックシートを携帯し、各現場を巡回して点検箇所を確認し、部屋名、各点検箇所の是正指導事項等をチェックシートに手書きで記入していた。
【０００３】
また、携帯可能な端末装置であって、所定の入出力装置を用いて点検結果を入力可能な点検作業支援装置も知られている（例えば、特許文献１）。
具体的には、例えば、点検作業箇所の点検項目の点検結果（例えば、良、不良等）を点検者が判断し、その点検結果をデータグローブ等により入力装置に入力することができるようになっている。
【特許文献１】特開平６−２５９１２７号公報
【発明の開示】
【発明が解決しようとする課題】
【０００４】
しかしながら、特許文献１記載の点検作業支援装置においては、点検者によって点検結果の評価がばらつくことがあるため、信用性の高い点検結果を得ることが困難であるという問題点があった。
また、重要度の高い点検項目や、緊急を要する是正指導事項等については、一定の知識、経験を有する点検者でなければ迅速に把握することができないという問題点もあった。
【０００５】
そこで、本発明の課題は、工事現場の点検作業において、より精度の高い点検結果を得ることのできる点検作業支援装置及びプログラムを提供することである。
【課題を解決するための手段】
【０００６】
以上の課題を解決するための手段として、請求項１記載の発明は、例えば、図１に示すように、
工事現場の点検を支援する携帯可能な点検作業支援装置（１）であって、
点検項目と、当該点検項目に対する入力可能な評価点数の範囲を記憶する点検項目記憶手段（例えば、点検項目マスタＤＢ４１）と、
前記点検項目記憶手段に記憶されている点検項目及び入力可能な評価点数の範囲を表示手段に表示させる第１の表示制御手段（例えば、ＣＰＵ２、表示制御プログラム４５０）と、
前記第１の表示制御手段により前記表示手段に表示された点検項目の中から所望の点検項目を選択する点検項目選択手段（例えば、ＣＰＵ２、点検項目選択プログラム４５１）と、
前記点検項目選択手段によって選択された点検項目についての評価点数を入力可能な評価点数の範囲で入力するための評価点数入力手段（例えば、入力部５）と、
前記評価点数入力手段によって入力された各評価点数に基づいて、点検の総合評価点数を算出する総合評価点数算出手段（例えば、ＣＰＵ２、総合評価点数算出プログラム４５２）と、
前記評価点数入力手段によって入力された評価点数及び前記総合評価点数算出手段によって算出された総合評価点数を前記表示手段に表示させる第２の表示制御手段（例えば、ＣＰＵ２、表示制御プログラム４５０）と、
を備えることを特徴とする。
【０００７】
請求項２記載の発明は、請求項１記載の点検作業支援装置であって、
前記点検項目選択手段によって選択された点検項目についての是正情報を入力するための是正情報入力手段（例えば、入力部５）と、
前記是正情報入力手段によって点検項目の是正情報が入力された場合、当該点検項目についての入力可能な評価点数の範囲を変更する変更手段（例えば、ＣＰＵ２、変更プログラム４５３）と、
を備えることを特徴とする。
【０００８】
請求項３記載の発明は、請求項２記載の点検作業支援装置であって、
前記点検項目記憶手段に記憶されている点検項目についての是正項目を記憶する是正項目記憶手段（例えば、是正項目マスタＤＢ４２）と、
前記点検項目選択手段により選択された点検項目についての是正項目を前記是正項目記憶手段から取得する是正項目取得手段（例えば、ＣＰＵ２、是正項目取得プログラム４５４）と、
前記点検項目選択手段によって選択された点検項目と、前記取得手段によって取得された当該点検項目に関する是正項目とを対応付けて前記表示手段に表示させる第３の表示制御手段（例えば、ＣＰＵ２、表示制御プログラム４５０）と、
を備えることを特徴とする。
【０００９】
請求項４記載の発明は、請求項３記載の点検作業支援装置であって、
前記是正項目記憶手段に記憶されている是正項目の中から、前記点検項目選択手段によって選択された点検項目についての是正項目を選択する是正項目選択手段（例えば、ＣＰＵ２、是正項目選択プログラム４５５）と、
前記点検項目と、その優先度とを対応付けて記憶する点検項目優先度記憶手段（例えば、点検項目マスタＤＢ４１）と、
前記是正情報入力手段によって複数の点検項目について是正情報が入力された場合、是正情報が入力された各点検項目に対応する優先度を前記優先度記憶手段から取得する点検項目優先度取得手段（例えば、ＣＰＵ２、点検項目優先度取得プログラム４５６）と、
前記点検項目優先度取得手段によって取得された優先度に基づいて前記表示手段に表示させる前記各点検項目の順番を決定する表示順決定手段（例えば、ＣＰＵ２、表示順決定プログラム４５９）と、
前記表示順決定手段によって決定された順番に従って、前記各点検項目を前記表示手段に表示させるとともに、当該各点検項目と前記是正項目選択手段によって選択された当該各点検項目についての是正項目とを対応付けて表示させる第４の表示制御手段（例えば、ＣＰＵ２、表示制御プログラム４５０）と、
を備えることを特徴とする。
【００１０】
請求項５記載の発明は、請求項３記載の点検作業支援装置であって、
前記是正項目記憶手段に記憶されている是正項目の中から、前記点検項目選択手段によって選択された点検項目についての是正項目を選択する是正項目選択手段（例えば、ＣＰＵ２、是正項目選択プログラム４５５）と、
前記是正項目と、その優先度とを対応付けて記憶する是正項目優先度記憶手段（例えば、是正項目マスタＤＢ４２）と、
前記是正情報入力手段によって複数の点検項目について是正情報が入力された場合、是正情報が入力された各点検項目について前記是正項目選択手段によって選択された各是正項目に対応する優先度を前記是正項目優先度記憶手段から取得する是正項目優先度取得手段（例えば、ＣＰＵ２、是正項目優先度取得プログラム４５７）と、
前記是正項目優先度取得手段によって取得された優先度に基づいて前記表示手段に表示させる前記各是正項目の順番を決定する表示順決定手段（例えば、ＣＰＵ２、表示順決定プログラム４５９）と、
前記表示順決定手段によって決定された順番に従って、前記各是正項目を前記表示手段に表示させるとともに、当該各是正項目とその点検項目とを対応付けて表示させる前記第４の表示制御手段（例えば、ＣＰＵ２、表示制御プログラム４５０）と、
を備えることを特徴とする。
【００１１】
請求項６記載の発明は、請求項３記載の点検作業支援装置であって、
前記是正項目記憶手段に記憶されている是正項目の中から、前記点検項目選択手段によって選択された点検項目についての是正項目を選択する是正項目選択手段（例えば、ＣＰＵ２、是正項目選択プログラム４５５）と、
前記点検項目と、その優先度とを対応付けて記憶する点検項目優先度記憶手段（例えば、点検項目マスタＤＢ４１）と、
前記是正項目と、その優先度とを対応付けて記憶する是正項目優先度記憶手段（例えば、是正項目マスタＤＢ４２）と、
前記是正情報入力手段によって複数の点検項目について是正情報が入力された場合、是正情報が入力された各点検項目に対応する優先度を前記点検項目優先度記憶手段から取得する点検項目優先度取得手段（例えば、ＣＰＵ２、点検項目優先度取得プログラム４５６）と、
前記是正情報入力手段によって複数の点検項目について是正情報が入力された場合、是正情報が入力された各点検項目について前記是正項目選択手段によって選択された各是正項目に対応する優先度を前記是正項目優先度記憶手段から取得する是正項目優先度取得手段（例えば、ＣＰＵ２、是正項目優先度取得プログラム４５７）と、
前記点検項目優先度取得手段によって取得された優先度の点数と、前記是正項目優先度取得手段によって取得された優先度の点数とに基づいて、前記各点検項目とその是正項目との組み合わせに応じた総合優先度を算出する総合優先度算出手段（例えば、ＣＰＵ２、総合優先度算出プログラム４５８）と、
前記総合優先度算出手段によって算出された総合優先度に基づいて、前記表示手段に表示させる前記各点検項目及びその是正項目の順番を決定する表示順決定手段（例えば、ＣＰＵ２、表示順決定プログラム４５９）と、
前記表示順決定手段によって決定された順番に従って、前記表示手段に前記各点検項目及びその是正項目を表示させる第４の表示制御手段（例えば、ＣＰＵ２、表示制御プログラム４５０）と、
を備えることを特徴とする。
【００１２】
請求項７記載の発明は、請求項４〜６の何れか一項に記載の点検作業支援装置であって、
建物の図面情報を記憶する図面情報記憶手段（例えば、図面マスタＤＢ４３）と、
前記図面情報記憶手段に記憶されている図面情報を前記表示手段に表示させる第５の表示制御手段（例えば、ＣＰＵ２、表示制御プログラム４５０）と、
前記第５の表示制御手段によって前記表示手段に表示された建物の図面上で、建物の点検箇所に関する点検箇所情報を入力するための点検箇所情報入力手段（例えば、入力部５）と、
前記点検箇所情報入力手段によって入力された点検箇所情報と、前記点検項目選択手段によって選択された当該点検箇所の点検項目と、前記是正項目選択手段によって選択された当該点検項目の是正項目とを対応付けて前記表示手段に表示させる第６の表示制御手段（例えば、ＣＰＵ２、表示制御プログラム４５０）と、
を備えることを特徴とする。
【００１３】
請求項８記載の発明は、請求項１〜７の何れか一項に記載の点検作業支援装置であって、
法律情報を記憶する法律情報記憶手段（例えば、法律マスタＤＢ４４）と、
前記法律情報の閲覧要求情報を入力するための閲覧要求情報入力手段（例えば、入力部５）と、
を備え、
前記閲覧要求情報入力手段によって閲覧要求情報が入力された場合、前記法律情報記憶手段に記憶されている前記法律情報を表示手段に表示させる第７の表示制御手段（例えば、ＣＰＵ２、表示制御プログラム４５０）と、
を備えることを特徴とする。
【００１４】
請求項９記載の発明は、プログラムであって、
点検項目と当該点検項目に対する入力可能な評価点数の範囲を記憶する点検項目記憶手段と、表示手段を備える携帯可能なコンピュータに、
前記点検項目記憶手段に記憶されている点検項目及び入力可能な評価点数を前記表示手段に表示させる第１の表示制御機能と、
前記第１の表示制御機能により前記表示手段に表示された点検項目の中から所望の点検項目を選択する点検項目選択機能と、
前記点検項目選択機能によって選択された点検項目についての評価点数を入力可能な評価点数の範囲で入力するための評価点数入力機能と、
前記評価点数入力機能によって入力された各評価点数に基づいて、点検の総合評価点数を算出する総合評価点数算出機能と、
前記評価点数入力機能によって入力された評価点数及び前記総合評価点数算出機能によって算出された総合評価点数を前記表示手段に表示させる第２の表示制御機能と、
を実現させることを特徴とする。
【発明の効果】
【００１５】
請求項１、９記載の発明によれば、所望の点検項目についての評価点数が入力可能な範囲で入力され、入力された各評価点数に基づいて点検の総合評価点数が算出される。従って、点検者による評価のばらつきを低減させることができることとなって、より精度の高い点検結果を得ることができる。
【００１６】
請求項２記載の発明によれば、請求項１記載の発明と同様の効果が得られるのは無論のこと、特に、是正情報が入力された場合には、点検項目についての入力可能な評価点数の範囲が変更される。従って、是正情報が評価点数に自動的に反映されることとなるので、より一層精度の高い点検結果を得ることができる。
【００１７】
請求項３記載の発明によれば、請求項２記載の発明と同様の効果が得られるのは無論のこと、特に、点検項目とその是正項目とが対応付けられて表示される。従って、点検項目とその是正項目とを直ちに確認できるので、点検作業をより容易に行うことができる。
【００１８】
請求項４記載の発明によれば、請求項３記載の発明と同様の効果が得られるのは無論のこと、特に、各点検項目とその是正項目とが、各点検項目の優先度に基づいて決定された順番で表示される。従って、現場に関する知識、経験が浅い者であっても、緊急処置を要する点検項目とその是正項目とを容易に把握できることとなって、現場作業の効率化を図ることができる。
【００１９】
請求項５記載の発明によれば、請求項３記載の発明と同様の効果が得られるのは無論のこと、特に、各点検項目とその是正項目とが、各是正項目の優先度に基づいて決定された順番で表示される。従って、現場に関する知識、経験が浅い者であっても、緊急処置を要する点検項目とその是正項目とを容易に把握できることとなって、現場作業の効率化を図ることができる。
【００２０】
請求項６記載の発明によれば、請求項３記載の発明と同様の効果が得られるのは無論のこと、特に、各点検項目とその是正項目とが、各点検項目の優先度及びその是正項目の優先度に基づいて決定された順番で表示される。従って、現場に関する知識、経験が浅い者であっても、緊急処置を要する点検項目とその是正項目とを容易に把握できることとなって、現場作業の効率化を図ることができる。
【００２１】
請求項７記載の発明によれば、請求項４〜６の何れか一項に記載の発明と同様の効果が得られるのは無論のこと、特に、建物の図面上で、点検箇所に関する点検箇所情報が入力され、入力された点検箇所情報と、その点検箇所の点検項目及び是正項目とが対応付けられて表示される。従って、現場の点検箇所とその点検項目及び是正項目とを直ちに確認できることとなって、より一層現場作業の効率化を図ることができる。
【００２２】
請求項８記載の発明によれば、請求項１〜７の何れか一項に記載の発明と同様の効果が得られるのは無論のこと、特に、法律情報が表示されるので、点検者が点検項目について違法か否かを容易に判断できる。
また、点検項目について違法である場合には、作業を行っている者に対して違法である根拠をその場で提示することができる。
【発明を実施するための最良の形態】
【００２３】
以下、図面を参照して本発明にかかる点検作業支援装置について詳細に説明する。本実施の形態における点検作業支援装置１は、例えば、マンション等の工事現場における点検業務を支援するものであり、タブレットＰＣやＰＤＡ等の携帯可能な携帯端末等により構成される。
図１に示すように、点検作業支援装置１は、ＣＰＵ２、ＲＡＭ３、記憶部４、入力部５、音声入力部６、表示部７、計時部８、外部機器と接続するためのインターフェイス（Ｉ／Ｆ）９などを備え、これらはバスＢを介して接続されている。
【００２４】
記憶部４は、プログラムやデータなどがあらかじめ記憶された記録媒体４ａを有している。記録媒体４ａは、例えば、磁気的記録媒体、光学的記録媒体、半導体メモリなどで構成されている。記録媒体４ａは、記憶部４に対して、固定的に、或いは着脱自在に設けられている。
【００２５】
記録媒体４ａには、区分マスタデータベース（区分マスタＤＢ）４０、点検項目マスタデータベース（点検項目マスタＤＢ）４１、是正項目マスタデータベース（是正項目マスタＤＢ）４２、図面マスタデータベース（図面マスタＤＢ）４３、法律マスタデータベース（法律マスタＤＢ）４４などが記憶されている。
また、記録媒体４ａには、点検作業支援処理に使用される各種アプリケーションプログラムなどが記憶されるプログラム格納領域４５、各種アプリケーションプログラムの実行結果などが記憶される結果データ格納領域４６などが設けられている。
【００２６】
なお、記録媒体４ａに記憶されるプログラム、データなどは、その一部または全部が、他の外部装置などから、Ｉ／Ｆ９などを介して取得して、記録媒体４ａに記録されるものとしても良い。
【００２７】
区分マスタＤＢ４０は、災害の種類を示す区分項目が記憶されており、例えば、図２に示すように、「管理体制」、「墜落・転落」、「建設機械」、「クレーン」、「土砂崩壊」・・・等が記憶されている。
また、区分は、点検項目（後述）との対応付けのための区分コードが項目ごとに付されている。例えば、「管理体制」を示す区分コードは、「Ａ１」である。
【００２８】
また、区分項目は、項目ごとにその優先度を示す点数が対応付けられて記憶されている。
優先度とは、点検の重要度の高さを示す指標であって、例えば、１点〜５点の点数によって示す。そして、点数が高ければ高いほど、優先度が高い（比較的重要度が高い）ことを示す。
例えば、「管理体制」が優先度「２点」、「墜落・転落」が優先度「５点」であるので、この場合、「管理体制」よりも「墜落・転落」のほうが優先度が高いことを示す。
【００２９】
点検項目マスタＤＢ４１には、点検項目が記憶されており、例えば、図３に示すように、「施工計画」、「作業手順書」、「法定届」、「就業制限・資格」、「安全衛生教育」・・・等の項目が記憶されている。
また、点検項目は、区分コードとの対応付けのため、及び、是正項目（後述）との対応付けのための点検コードが項目ごとに付されている。例えば、「施工計画」を示す点検コードは、「Ｂ１」である。
【００３０】
また、点検項目は、項目ごとに、区分項目の区分コードと対応付けられて記憶されている。例えば、「施工計画」（「Ｂ１」）は、区分コード「Ａ１」（即ち、「管理体制」）と対応付けられて記憶されている。
なお、点検項目マスタＤＢ４１に記憶される点検項目は、上記の項目に限定されるものではなく、追加、変更等適宜設定可能なものとする。
【００３１】
また、上記点検項目は、項目ごとにその入力可能な評価点数の範囲が対応付けられて記憶されている。例えば、「施工計画」についての入力可能な評価点数の範囲は、「１点〜５点」である。
このように、点検項目マスタＤＢ４１は、点検項目記憶手段として機能する。
【００３２】
また、上記点検項目は、項目ごとにその優先度を示す点数が対応付けられて記憶されている。
例えば、「施工計画」が優先度「２点」、「就業制限・資格」が優先度「４点」であるので、この場合、「施工計画」よりも「就業制限・資格」のほうが優先度が高いことを示す。
即ち、点検項目マスタＤＢ４１は、点検項目優先度記憶手段として機能する。
この優先度を示す点数についても、追加、変更等適宜設定可能である。
【００３３】
是正項目マスタＤＢ４２は、是正項目記憶手段として機能し、点検項目マスタＤＢ４１に記憶されている点検項目についての是正項目が記憶されており、例えば、図４に示すように、「未提出」、「未作成」、「記載漏れ」・・・等が記憶されている。
なお、是正項目マスタＤＢ４２に記憶される是正項目は、上記の項目に限定されるものではなく、追加、変更等適宜設定可能なものとする。
【００３４】
また、点検項目は、区分コード及び点検コードとの対応付けのための是正コードが項目ごとに付されている。例えば、「未提出」を示す是正コードは、「Ｃ１」である。
【００３５】
また、是正項目は、項目ごとに、点検項目の点検コードと対応付けられて記憶されている。例えば、「未提出」（「Ｃ１」）は、区分コード「Ａ１」（即ち、「管理体制」）及び点検コード「Ｂ１」（即ち、「施工計画」）と対応付けられて記憶されている。
【００３６】
また、上記是正項目は、項目ごとにその優先度を示す点数が対応付けられて記憶されている。
例えば、「未提出」が優先度「４点」、「未作成」が優先度「３点」であるので、この場合、「未提出」のほうが「未作成」よりも優先度が高いことを示す。
即ち、是正項目マスタＤＢ４２は、是正項目優先度記憶手段として機能する。
この優先度を示す点数についても、追加、変更等適宜設定可能である。
【００３７】
図面マスタＤＢ４３には、例えば、マンションの建設現場の足場計画図の立面図データ等が記憶されている。即ち、図面マスタＤＢ４３は、図面情報記憶手段として機能する。
なお、この図面データは、ＣＡＤデータ、又は、ＢＭＰ形式、ＪＰＥＧ形式、ＧＩＦ形式等の画像データ等でもよい。
【００３８】
法律マスタＤＢ４４には、例えば、建築に関する法律（労働安全衛生法、建築基準法、消防法、都市計画法、建築士法、建設業法等）のテキストデータが記憶されている。即ち、法律マスタＤＢ４４は、法律情報記憶手段として機能する。なお、法律マスタＤＢ４４に記憶される法律は、建築に関するものに限定されるものではない。
【００３９】
プログラム格納領域４５には、ＣＰＵ２での各種動作を行うためのシステムプログラム、アプリケーションプログラムが記憶されている。具体的には、表示制御プログラム４５０、点検項目選択プログラム４５１、総合評価点数算出プログラム４５２、変更プログラム４５３、是正項目取得プログラム４５４、是正項目選択プログラム４５５、点検項目優先度取得プログラム４５６、是正項目優先度取得プログラム４５７、総合優先度算出プログラム４５８、表示順決定プログラム４５９が記憶されている。
【００４０】
結果データ格納領域４６には、点検箇所テーブル４６１、評価点数テーブル４６２、総合優先度テーブル４６３等が格納されている。これらのテーブルについては後述する。なお、各テーブルの記憶処理は、ＣＰＵ２により制御される。
【００４１】
ＣＰＵ２は、記憶部４に格納されている各種アプリケーションプログラムやシステムプログラムなどをＲＡＭ３に格納して、各種指示信号や入力データなどに応じて、ＲＡＭ３内に格納したアプリケーションプログラムに従って、各種処理を実行する。また、ＣＰＵ２は、処理結果を一時的にＲＡＭ３に格納するとともに、表示部７に表示する制御を行う。また、ＣＰＵ２は、処理結果情報を記憶部４の結果データ格納領域４６に記憶させる制御も行う。
【００４２】
具体的には、ＣＰＵ２は、表示制御プログラム４５０を実行することにより、点検項目マスタＤＢ４１に記憶されている点検項目及び入力可能な評価点数を表示部７に表示させる第１の表示制御手段として機能する。
【００４３】
また、ＣＰＵ２は、点検項目選択プログラム４５１を実行することにより、表示部７に表示された点検項目の中から所望の点検項目を選択する点検項目選択手段として機能する。
【００４４】
また、ＣＰＵ２は、総合評価点数算出プログラム４５２を実行することにより、点検項目の各評価点数に基づいて、点検の総合評価点数を算出する総合評価点数算出手段として機能する。
【００４５】
また、ＣＰＵ２は、表示制御プログラム４５０を実行することにより、入力された評価点数及び算出された総合評価点数を表示部７に表示させる第２の表示制御手段として機能する。
【００４６】
また、ＣＰＵ２は、変更プログラム４５３を実行することにより、選択された点検項目についての是正情報が入力された場合、当該点検項目についての入力可能な評価点数の範囲を変更する変更手段として機能する。
【００４７】
また、ＣＰＵ２は、是正項目取得プログラム４５４を実行することにより、選択された点検項目についての是正項目を是正項目マスタＤＢ４２から取得する是正項目取得手段として機能する。
【００４８】
また、ＣＰＵ２は、表示制御プログラム４５０を実行することにより、選択された点検項目と、取得された是正項目とを対応付けて表示部７に表示させる第３の表示制御手段として機能する。
【００４９】
また、ＣＰＵ２は、是正項目選択プログラム４５５を実行することにより、是正項目マスタＤＢ４２に記憶されている是正項目の中から所望の是正項目を選択する是正項目選択手段として機能する。
【００５０】
また、ＣＰＵ２は、点検項目優先度取得プログラム４５６を実行することにより、選択された点検項目に対応する優先度の点数を点検項目マスタＤＢ４１から取得する点検項目優先度取得手段として機能する。
【００５１】
また、ＣＰＵ２は、是正項目優先度取得プログラム４５７を実行することにより、選択された是正項目に対応する優先度の点数を是正項目マスタＤＢ４２から取得する是正項目優先度取得手段として機能する。
【００５２】
また、ＣＰＵ２は、総合優先度算出プログラム４５８を実行することにより、取得された点検項目の優先度の点数と是正項目の優先度の点数とに基づいて、点検項目と是正項目との組み合わせに応じた総合優先度を算出する総合優先度算出手段として機能する。
【００５３】
また、ＣＰＵ２は、表示順決定プログラム４５９を実行することにより、算出した点検項目及びその是正項目の組み合わせの総合優先度に基づいて、表示部７に表示させる点検項目とその是正項目の順番を決定する表示順決定手段として機能する。
【００５４】
また、ＣＰＵ２は、表示制御プログラムを実行することにより、選択された点検項目及びその是正項目を、決定した順番に従って表示部７に表示させる第４の表示制御手段として機能する。
【００５５】
また、ＣＰＵ２は、表示制御プログラム４５０を実行することにより、図面マスタＤＢ４３に記憶されている図面情報を表示部７に表示させる第５の表示制御手段として機能する。
【００５６】
また、ＣＰＵ２は、表示制御プログラム４５０を実行することにより、入力された点検箇所情報と、選択された点検箇所についての点検項目と、選択された当該点検項目についての是正項目とを対応付けて表示部７に表示させる第６の表示制御手段として機能する。
【００５７】
また、ＣＰＵ２は、表示制御プログラム４５０を実行することにより、法律情報の閲覧要求情報が入力された場合、法律マスタＤＢ４４に記憶されている法律情報を表示部７に表示させる第７の表示制御手段として機能する。
【００５８】
ＲＡＭ３は、記憶部４に格納されたプログラムをＣＰＵ２が実行する際に、各種プログラムやデータを格納する格納領域を形成する。また、ＣＰＵ２による処理を実行するための作業領域や、ＣＰＵ２の処理に係わるデータが一時的に記憶される記憶領域などを形成する。
【００５９】
入力部５は、評価点数入力手段、是正情報入力手段、点検箇所情報入力手段、閲覧要求情報入力手段として機能し、例えば、キー群５ａ、タッチペン５ｂおよびタブレット５ｃを含んで構成される。
【００６０】
キー群５ａは、カーソルキー、数字キー、機能キーなどの各種キーを備え、ユーザにより操作されたキーに対応する操作信号をＣＰＵ２に出力する。
【００６１】
タブレット５ｃは、表示部７と一体に構成され、抵抗膜式、光学式、静電容量式などの各種座標読み取り原理により、ユーザがタッチペン５ｂで表示部７をタッチした座標位置を検出し、その座標位置に応じた入力信号をＣＰＵ２に出力する。
【００６２】
具体的には、表示部７に表示されたメニューバー、アイコンなどをタッチペン５ｂでタッチすることにより、タッチされたメニュー項目またはアイコンに応じた操作を行うことができる。
【００６３】
音声入力部６は、図示しないマイク、音声認識部などによって構成され、マイクから入力されるユーザの音声信号を音声認識部にて音声認識してテキストデータに変換し、変換したテキストデータを音声入力情報としてＣＰＵ２に出力する。
【００６４】
表示部７は、表示手段として機能し、例えば、ＬＣＤ（Liquid  Crystal  Display）などにより構成されている。ＣＰＵ２の表示制御に従い、各種データを入力する入力画面などを表示画面上に表示できる。
【００６５】
計時部８は、時刻や日付を計時し、計時された時間データなどは、ＣＰＵ２を介してＲＡＭ３に送られて順次更新セットされる。例えば、所定周波数のクロック信号を発振する発振回路（図示省略）と、該発振回路からの信号を分周して所定周波数の信号を得る分周回路（図示省略）と、一秒単位の計時データに変換するための時刻用カウンタ（図示省略）などを備える。
そして、ＣＰＵ２により、工事項目の点検開始日、是正完了日などの入力がなされると、その入力日時が記憶部４の結果データ格納領域４６に記憶されるようになっている。
【００６６】
Ｉ／Ｆ９は、この点検作業支援装置１と外部機器（図示省略）間で各種指示信号や位置情報などを入出力するためのインターフェイスであり、例えば、ＵＳＢ（Universal  Serial  Bus）ポートやＲＳ−２３２Ｃ端子をはじめとするシリアル入出力端子、パラレル入出力端子、ＳＣＳＩインターフェイス、ＩｒＤＡ（Infrared  Data  Association）規格に準じた赤外線通信装置などが備えられ、有線または無線通信手段により外部機器と接続することが可能である。
そして、記憶部４に記憶されている点検項目マスタＤＢ４１、是正項目マスタＤＢ４２、図面マスタＤＢ４３の各データを、Ｉ／Ｆ９を介して、例えば、別の点検作業支援システムに記憶されているデータから取得するようにしてもよい。
【００６７】
次に、点検作業支援装置１による現場作業処理について、図面を参照にして詳細に説明する。なお、点検作業の対象はマンションの建設現場とする。
【００６８】
先ず、点検箇所入力処理の一例について図５に示すフローチャートを用いて説明する。
図５に示すように、表示部７に表示された処理選択表示画面（図示省略）にて「基本情報設定」がタッチペン５ｂにより入力されると（ステップＳ１０１）、ＣＰＵ２は、表示部７に、図６に示す基本情報入力画面Ｇ１００を表示させ、基本情報設定処理を行う（ステップＳ１０２）。具体的には、例えば、ユーザによって、点検日、点検者、建設物件名、所在地、工事期間等の基本情報がＣＰＵ２に入力される。
【００６９】
また、ＣＰＵ２は、基本情報入力画面Ｇ１００上に区分選択欄１１０と点検項目選択欄１１１とを表示させ、区分選択欄１１０に表示された区分一覧及び点検項目選択欄１１１に表示された点検項目一覧から、ユーザがタッチペン５ｂで各項目のチェック欄をタッチすることにより、区分選択指示及び点検項目選択指示がＣＰＵ２に入力される。
【００７０】
そして、ユーザがタッチペン５ｂで「図面ファイル設定」の所望の図面ファイル名欄１２０をタッチすることにより、図面情報選択指示がＣＰＵ２に入力される。具体的には、例えば、「足場計画図」の図面ファイルが選択されるものとする。
次いで、ＣＰＵ２は、図面マスタＤＢ４３から、「足場計画図」に該当する立面図データを取得する。
次いで、ＣＰＵ２は、ユーザによる終了ボタン１３０の入力があったと判断した場合には、入力された基本情報データを結果データ格納領域４６に格納するとともに、基本情報設定処理を終了する。
【００７１】
次いで、ＣＰＵ２は、処理選択表示画面（図示省略）を表示部７に再度表示させ、ユーザによって、「点検」がタッチペン５ｂで入力されると（ステップＳ１０３）、ＣＰＵ２は、図７に示す点検箇所入力画面Ｇ２００を表示させ（ステップＳ１０４）、取得した「足場計画図」の立面図データに基づく立面図２１０をその画面上に表示させる。
そして、図面上でユーザによる引出線作成ボタン２２０の押圧によって点検箇所を示す引出線が入力されたと判断した場合（ステップＳ１０５；Ｙｅｓ）には、引出線に点検箇所番号を付与し、引出線とその点検箇所番号とを対応付けてＲＡＭ３に一時的に記憶させる（ステップＳ１０６）。具体的には、例えば、引出線２１１に、点検箇所番号「２」２１１ａを付し、記憶させる。
【００７２】
次いで、ＣＰＵ２は、点検箇所番号「２」２１１ａに関する点検欄２３０を表示させる（ステップＳ１０７）。この点検欄２３０は、点検箇所番号欄２３１、区分入力欄２３２、点検項目入力欄２３３、是正項目入力欄２３４、詳細情報入力欄２３５（図８参照）を備えて構成されている。
ここで、ＣＰＵ２は、点検箇所番号欄２３１に、点検箇所番号「２」２１１ａを、「Ｎｏ．２」として表示させる。
次いで、ＣＰＵ２は、区分選択指示欄（図示省略）を表示させ、この区分選択指示欄に表示された区分一覧からユーザがタッチペン５ｂで所望の区分をタッチすることにより、区分選択指示がＣＰＵ２に入力される（ステップＳ１０８）。次いで、ＣＰＵ２は、入力された区分を区分入力欄２３２に表示させる。具体的には、例えば、「墜落・転落」の選択指示が入力されるものとする。
【００７３】
次いで、ＣＰＵ２は、選択指示のあった区分に対応付けられた点検項目を点検項目マスタＤＢ４１から取得し、点検項目選択指示欄（図示省略）を表示させる（ステップＳ１０９）。
そして、点検項目選択指示欄に表示された選択項目一覧からユーザがタッチペン５ｂで所望の点検項目をタッチすることにより、点検項目選択指示がＣＰＵ２に入力される（ステップＳ１１０）。次いで、ＣＰＵ２は、入力された点検項目を点検項目入力欄２３３に表示させる。具体的には、例えば、「足場・作業床」の選択指示が入力されるものとする。
【００７４】
次いで、ＣＰＵ２は、選択指示のあった点検項目に対応付けられた是正項目を是正項目マスタＤＢ４２から取得し、是正項目選択指示欄２３４ａを表示させる（ステップＳ１１１）。そして、是正項目選択指示欄２３４ａに表示された是正項目一覧からユーザがタッチペン５ｂで所望の是正項目をタッチすることにより、是正項目選択指示がＣＰＵ２に入力される（ステップＳ１１２）。次いで、ＣＰＵ２は、入力された是正項目を是正項目入力欄２３４に表示させる。具体的には、例えば、「設備の不備」を選択するものとする。
なお、詳細情報入力欄２３５には、是正項目等についての詳細な情報が入力され、例えば、「端部手摺破損」と入力される。
【００７５】
次いで、ＣＰＵ２は、ユーザによる法令参照ボタン２４０の入力があったと判断した場合（ステップＳ１１３；Ｙｅｓ）には、法律マスタＤＢ４４から法律テキストデータを取得し、図８に示す法律表示欄２５０を表示させる（ステップＳ１１４）。具体的には、例えば、「労働安全衛生法−規則５１７の４」を表示させる。なお、法律表示欄２５０は、必ずしもこの段階で表示される必要は無く、点検箇所入力画面Ｇ２００が表示されている間で、法令参照ボタン２４０の入力があったときに随時表示される。
【００７６】
次いで、ＣＰＵ２は、点検欄２３０にて入力された点検箇所番号等を点検表２７０に一覧表示させる（ステップＳ１１５）。より具体的には、点検表２７０に、「点検箇所番号」−「区分」−「点検項目」−「是正項目」−「詳細情報」をそれぞれ対応付けて表示させる。例えば、「２」−「墜落・転落」−「足場・作業床」−「設備の不備」−「端部手摺破損」をそれぞれ対応付けて表示させる。
【００７７】
そして、ユーザにより、評価区分表示欄２７１に表示させる評価区分の選択指示が入力される（ステップＳ１１６）。ここで、評価区分とは、是正項目の程度の違いにより設定されている区分であり、例えば、「是正」、「指導」、「指摘なし」のうちの何れかが選択されるようになっている。
より具体的には、例えば、是正項目「設備の不備」に対して、評価区分「是正」が選択された場合は、不備の程度が比較的大きく、応急処置が必要であることを示す。
また、是正項目「設備の不備」に対して、評価区分「指導」が選択された場合は、「是正」よりも不備の程度は小さいが、相応の対処が必要であることを示す。
また、「指摘なし」は、その点検箇所に是正項目がない場合に選択される。
なお、「是正」又は「指導」が選択された場合には、是正情報が入力されたものとされ、その点検項目の評価点数の入力可能な範囲に反映される（後述）。
【００７８】
ここで、ＣＰＵ２は、評価区分によって、引出線の色を変えて表示させる制御を行う。具体的には、例えば、点検箇所番号「２」２１１ａについての是正項目「設備の不備」に対して「是正」が選択された場合には、引出線２１１を赤色で表示させる。また、「指導」が入力された場合には、引出線２１１を青色で表示させる。また、「指摘なし」が入力された場合には、引出線２１１を緑色で表示させる。
【００７９】
次いで、ＣＰＵ２は、引出線２１１と、その点検箇所番号「２」２１１ａと、この点検箇所番号に対応する区分（「墜落・転落」）、点検項目（「足場・作業床」）、その是正項目（
設備の不備」）及び評価区分（例えば、「是正」）とを対応付けて、ＲＡＭ３に一時的に記憶させる（ステップＳ１１７）。
【００８０】
次いで、ＣＰＵ２は、ユーザによる終了ボタン２６０の入力があったか否かを判断する（ステップＳ１１８）。そして、ＣＰＵ２が、終了ボタン２６０の入力があったと判断した場合には、データ保存のメッセージを表示部７に表示し、ユーザによるデータ保存信号の入力があったと判断した場合（ステップＳ１１９；Ｙｅｓ）には、ＣＰＵ２は、ＲＡＭ３に一時的に記憶された引出線２１１−点検箇所番号「２」２１１ａ−区分「墜落・転落」−点検項目「足場・作業床」−是正項目「設備の不備」−詳細情報「端部手摺破損」−評価区分「是正」の組み合わせを点検箇所テーブル４６１に記憶させ、結果データ格納領域４６に格納し（ステップＳ１２０）、本処理を終了する。
なお、図９に示すように、引出線２１２−点検箇所番号「１」２１２ａ−区分「墜落・転落」−点検項目「足場・作業床」−是正項目「設備の不備」−詳細情報「端部手摺無し」−評価区分「是正」の組み合わせについても、同様の処理により記憶されるものとする。
【００８１】
一方、ＣＰＵ２が、終了ボタン２６０の入力がされなかったと判断した場合（ステップＳ１１８；Ｎｏ）には、引き続いて立面図２１０を表示させ、ステップＳ１０５に移行する。
【００８２】
次に、点検箇所の点検項目についての評価点数入力処理の一例について、図１０に示すフローチャートを用いて説明する。
図１０に示すように、先ず、ＣＰＵ２は、表示部７に表示された処理選択表示画面（図示省略）にて「安全衛生点検表作成」がタッチペン５ｂで入力されると（ステップＳ２０１）、各点検項目に対する入力可能な評価点数の範囲を点検項目マスタＤＢ４１（図３参照）から取得する（ステップＳ２０２）。
【００８３】
次いで、ＣＰＵ２は、各点検項目に対する是正情報（点検箇所入力画面Ｇ２００にて、是正項目及びその「是正」又は「指導」の入力等を含む情報）が有るか否かを判断する（ステップＳ２０３）。そして、例えば、点検項目「足場・作業床」について是正情報が有ると判断した場合（ステップＳ２０３；Ｙｅｓ）には、「足場・作業床」についての入力可能な評価点数の範囲を、例えば、「１点〜５点」から「１点〜２点」に変更する。（ステップＳ２０４）。
【００８４】
一方、「足場・作業床」に対する是正情報が無いと判断した場合（ステップＳ２０３；Ｎｏ）には、「足場・作業床」についての入力可能な評価点数の範囲の変更は行わない。
【００８５】
次いで、ＣＰＵ２は、図１１に示す安全衛生点検表作成画面Ｇ３００を表示させ、評価点数入力欄３１０を表示させる（ステップＳ２０５）。
ここで、ＣＰＵ２は、画面内に評価点数入力欄３１０を表示させるとともに、点検箇所についての是正情報が入力されている場合には、その旨を是正情報表示欄３１３に表示させる。具体的には、例えば、「施工計画」に対して是正情報が１つ有る場合には、「施工計画」に対応する是正情報表示欄３１３に、「是正」入力のあった点検項目の件数「１」を表示させる。同様に、例えば、「足場・作業床」に対して是正情報が２つ有る場合（例えば、図９に示すように、２つの点検箇所について「是正」入力がされた場合）には、「足場・作業床」に対応する是正情報表示欄３１３に、「是正」入力のあった点検項目の件数「２」を表示させる。
【００８６】
そして、評価点数入力欄３１０に表示された点検項目一覧からユーザがタッチペン５ｂで所望の点検項目の点数欄３１２をタッチすることにより、評価点検項目選択指示がＣＰＵ２に入力される（ステップＳ２０６）。具体的には、例えば、区分「墜落・転落」の点検項目「足場・作業床」が選択されるものとする。
なお、各点検項目のチェック欄３１１は、その点検項目が点検されたか否かを示す欄であり、図６の基本情報入力画面Ｇ１００の点検項目選択欄１１１におけるチェック入力（ステップＳ１０２；図５参照）がそのまま反映されるようになっている。
【００８７】
そして、ユーザがタッチペン５ｂで「足場・作業床」の点数欄３１２をタッチすることにより、「足場・作業床」についての入力可能な評価点数の範囲を点数欄３１２に表示させる（ステップＳ２０７）。そして、ユーザがタッチペン５ｂで所望の評価点数（この場合、１点又は２点）をタッチすることにより、評価点数選択指示がＣＰＵ２に入力される（ステップＳ２０８）。
【００８８】
次いで、ＣＰＵ２は、入力指示のあった評価点数に基づいて、総合評価点数を算出する（ステップＳ２０９）。具体的には、例えば、入力される評価点数を順次加算していき、１００点満点中の点数に換算して、換算した総合評価点数を、総合評価点数表示欄３２０に表示させる。具体的には、例えば、「７８点」と表示させる。
【００８９】
次いで、ＣＰＵ２は、各評価点数及び総合評価点数等をＲＡＭ３に一時的に記憶し（ステップＳ２１０）、ユーザによる終了ボタン３４０の入力があったと判断した場合（ステップＳ２１１；Ｙｅｓ）には、データ保存のメッセージを表示部７に表示し、ユーザによるデータ保存信号の入力があったと判断した場合（ステップＳ２１２；Ｙｅｓ）には、ＲＡＭ３に一時的に記憶された各評価点数及び総合評価点数等を評価点数テーブル４６２に記憶させ、結果データ格納領域４６に格納し（ステップＳ２１３）、本処理を終了する。
【００９０】
一方、ＣＰＵ２が、ユーザによる終了ボタン３４０の入力がなかったと判断した場合（ステップＳ２１１；Ｎｏ）には、ステップＳ２０６に移行する。
【００９１】
次に、総合優先度算出処理の一例について、図１２に示すフローチャートを用いて説明する。なお、ステップＳ３０１については、図１０に示すステップＳ２０１と同様であるので、詳細な説明を省略する。
【００９２】
図１２に示すように、先ず、ＣＰＵ２は、複数の是正情報（点検箇所入力画面Ｇ２００にて、是正項目及びその「是正」又は「指導」の入力に関する情報）があったと判断した場合（ステップＳ３０２；Ｙｅｓ）には、その是正情報が入力された点検項目に対応する優先度の点数を点検項目マスタＤＢ４１から取得する（ステップＳ３０３）。具体的には、例えば、図１１に示すように、複数の是正情報が入力されている（「施工計画」に対して１つの是正情報が有り、「足場・作業床」に対して２つの是正情報が有る）場合には、「施工計画」に対応する優先度の点数（２点；図３参照）と、「足場・作業床」に対応する優先度の点数（５点；図３参照）とを取得する。
【００９３】
次いで、ＣＰＵ２は、是正情報が入力された点検項目と対応付けられた区分に対応する優先度の点数を区分マスタＤＢ４０から取得する（ステップＳ３０４）。具体的には、例えば、「施工計画」に対応付けられている区分「管理体制」の優先度の点数（２点；図２参照）と、「足場・作業床」に対応付けられている区分「墜落・転落」の優先度の点数（５点；図２参照）とを取得する。
次いで、ＣＰＵ２は、各点検項目についての是正項目に対応する優先度の点数を是正項目マスタＤＢ４２から取得する（ステップＳ３０５）。具体的には、例えば、「施工計画」の是正項目（例えば、「未提出」）の優先度の点数（４点；図４参照）と、「足場・作業床」の是正項目「設備の不備」の優先度の点数（５点；図４参照）とを取得する。
【００９４】
次いで、ＣＰＵ２は、取得した区分−点検項目−是正項目の各優先度の点数を乗じて、それぞれの組み合わせの総合優先度を算出する（ステップＳ３０６）。具体的には、例えば、「墜落・転落」（５点）×「足場・作業床」（５点）×「設備の不備」（５点）＝１２５点を総合優先度として算出する。
同様に、例えば、「管理体制」−「施工計画」−「未提出」（点検項目「施工計画」は書類点検であるので、点検箇所番号は「（書）」とする）の組み合わせにかかる是正情報が入力されている場合、この組み合わせの総合優先度は、「管理体制」（２点）×「施工計画」（２点）×「未提出」（４点）＝１６点となる。
【００９５】
次いで、ＣＰＵ２は、算出した総合優先度に基づいて、表示部７に表示させる区分、点検項目及びその是正項目の順番（優先順）を決定し、ＲＡＭ３に一時的に記憶させる（ステップＳ３０７）。具体的には、例えば、点検箇所番号「１」−「墜落・転落」−「足場・作業床」−「設備の不備」の組み合わせ（図９参照）＝総合優先度１２５点＝優先順１番目、点検箇所番号「２」−「墜落・転落」−「足場・作業床」−「設備の不備」の組み合わせ（図９参照）＝総合優先度１２５点＝同じく優先順１番目、点検箇所番号「（書）」−「管理体制」−「施工計画」−「未提出」の組み合わせ＝総合優先度１６点＝優先順３番目と決定する。
【００９６】
次いで、ＣＰＵ２は、図１１に示す安全衛生点検表作成画面Ｇ３００を表示部７に表示させ（ステップＳ３０８）、さらに、その画面中に総合優先度表示欄３３０を表示させて、ステップＳ３０７で決定した順番に基づいて優先順−点検箇所番号−区分−点検項目−是正項目−評価区分を表示させる（ステップＳ３０９）。具体的には、例えば、「１」−「１」−「墜落・転落」−「足場・作業床」−「設備の不備」−「是正」の組み合わせ、次いで、「１」−「２」−「墜落・転落」−「足場・作業床」−「設備の不備」−「是正」の組み合わせ、次いで、「３」−「（書）」−「管理体制」−「施工計画」−「未提出」−「是正」の組み合わせの順で表示される。なお、総合優先度表示欄３３０に、図９に示す「端部手摺破損」等の詳細情報も併せて表示させるのが好ましい。
【００９７】
一方、ＣＰＵ２が、複数の是正情報がなかったと判断した場合（例えば、是正情報が一つである場合）（ステップＳ３０２；Ｎｏ）には、その是正情報が入力された点検箇所番号−区分−点検項目−是正項目−評価区分を、総合優先度表示欄３３０に表示させる（ステップＳ３０９）。
【００９８】
次いで、ＣＰＵ２は、ユーザのタッチペン５ｂによる印刷ボタン３５０の入力があったと判断した場合（ステップＳ３１０；Ｙｅｓ）には、印刷を実行する（ステップＳ３１１）。
より具体的には、図１３に示すように、例えば、「足場計画図」の立面図２１０（図９参照）と、この立面図２１０上の点検箇所等についての総合優先度表示欄３３０（図１１参照）の内容を、「安全検査是正指示・指導書」４００として、一枚の用紙に印刷する。
【００９９】
次いで、ＣＰＵ２は、ユーザのタッチペン５ｂによる終了ボタン３４０の入力があったと判断した場合（ステップＳ３１２；Ｙｅｓ）には、データ保存のメッセージを表示部７に表示し、ユーザによるデータ保存信号の入力があったと判断した場合（ステップＳ３１３；Ｙｅｓ）には、ＣＰＵ２は、ＲＡＭ３に一時的に記憶された総合優先度−点検箇所番号−区分−点検項目−是正項目及びその表示順等を総合優先度テーブル４６３に記憶させ、結果データ格納領域４６に格納し（ステップＳ３１４）、本処理を終了する。
【０１００】
以上説明した点検作業支援装置１によれば、所望の点検項目についての評価点数が入力可能な範囲で入力され、入力された各評価点数に基づいて点検の総合評価点数が算出される。従って、点検者による評価のばらつきを低減させることができることとなって、より精度の高い点検結果を得ることができる。
【０１０１】
また、是正情報が入力された場合には、点検項目についての入力可能な評価点数の範囲が変更される。従って、是正情報が評価点数に自動的に反映されることとなるので、より一層精度の高い点検結果を得ることができる。
【０１０２】
また、点検箇所入力画面Ｇ２００においては、点検項目とその是正項目とが対応付けられて表示される。従って、点検項目とその是正項目とを直ちに確認できるので、点検作業をより容易に行うことができる。
【０１０３】
また、各点検項目とその是正項目とが、各点検項目の優先度の点数及びその是正項目の優先度の点数に基づいて決定された順番で表示される。従って、現場に関する知識、経験が浅い者であっても、緊急処置を要する点検項目とその是正項目とを容易に把握できることとなって、現場作業の効率化を図ることができる。
【０１０４】
また、マンション建設現場における足場計画図の立面図２１０上で、点検箇所に関する引出線２１１とその点検箇所番号「２」２１１ａが入力され、入力された点検箇所番号「２」２１１ａと、その点検箇所の点検項目及び是正項目とが対応付けられて表示される。従って、現場の点検箇所とその点検項目及び是正項目とを直ちに確認できることとなって、より一層現場作業の効率化を図ることができる。
【０１０５】
また、引出線２１１の色が、引出線２１１が示す点検箇所の是正項目についての評価区分（「是正」、「指導」、「指摘なし」）によって異なる色で表示されるので、応急処置の必要な点検箇所の場所を迅速に把握することができる。
【０１０６】
また、法律情報が表示されるので、点検者が点検項目について違法か否かを容易に判断できる。
また、点検項目について違法である場合には、作業を行っている者に対して違法である根拠をその場で提示することができる。
【０１０７】
なお、上記実施の形態では、各区分に対応する優先度と、各点検項目に対応する優先度の点数と、各点検項目についての是正項目に対応する優先度の点数とを乗じて総合優先度を算出し、点検項目及びその是正項目の表示順の決定する構成を示したが、例えば、各点検項目に対応する優先度の点数のみ、又は、各点検項目についての是正項目に対応する優先度の点数のみに基づいて、点検項目及びその是正項目の表示順を決定するようにしてもよい。
また、上記実施の形態では、総合優先度算出の際に区分の優先度の点数も加味される構成を示したが、区分及びその優先度については、本発明にかかる点検作業支援装置１に必須の構成ではないので、省略してもよい。
【図面の簡単な説明】
【０１０８】
【図１】本発明の実施の形態における点検作業支援装置の要部構成を示すブロック図である。
【図２】区分マスタＤＢのデータ内容の一例を示す図である。
【図３】点検項目マスタＤＢのデータ内容の一例を示す図である。
【図４】是正項目マスタＤＢのデータ内容の一例を示す図である。
【図５】点検箇所入力処理の一例を説明するためのフローチャートである。
【図６】基本情報入力画面の一例を示す図である。
【図７】点検箇所入力画面の一例を示す図である。
【図８】点検箇所入力画面の一例を示す図である。
【図９】点検箇所入力画面の一例を示す図である。
【図１０】評価点数入力処理の一例を説明するためのフローチャートである。
【図１１】安全衛生点検表作成画面の一例を示す図である。
【図１２】総合優先度算出処理の一例を説明するためのフローチャートである。
【図１３】安全検査是正指示・指導書の印刷結果の一例を示す図である。
【符号の説明】
【０１０９】
１  点検作業支援装置
２  ＣＰＵ（第１の表示制御手段、点検項目選択手段、総合評価点数算出手段、第２の表示制御手段、変更手段、是正項目取得手段、第３の表示制御手段、是正項目選択手段、点検項目優先度取得手段、第４の表示制御手段、是正項目優先度取得手段、第５の表示制御手段、総合優先度算出手段、表示順決定手段、第６の表示制御手段、第７の表示制御手段）
５  入力部（評価点数入力手段、是正情報入力手段、点検箇所情報入力手段、閲覧要求情報入力手段）
７  表示部（表示手段）
４１  点検項目マスタＤＢ（点検項目記憶手段、点検項目優先度記憶手段）
４２  是正項目マスタＤＢ（是正項目記憶手段、是正項目優先度記憶手段）
４３  図面マスタＤＢ（図面情報記憶手段）
４４  法律マスタＤＢ（法律情報記憶手段）
４５０  表示制御プログラム（第１の表示制御手段、第２の表示制御手段、第３の表示制御手段、第４の表示制御手段、第５の表示制御手段、第６の表示制御手段、第７の表示制御手段）
４５１  点検項目選択プログラム（点検項目選択手段）
４５２  総合評価点数算出プログラム（総合評価点数算出手段）
４５３  変更プログラム（変更手段）
４５４  是正項目取得プログラム（是正項目取得手段）
４５５  是正項目選択プログラム（是正項目選択手段）
４５６  点検項目優先度取得プログラム（点検項目優先度取得手段）
４５７  是正項目優先度取得プログラム（是正項目優先度取得手段）
４５８  総合優先度算出プログラム（総合優先度算出プログラム）
４５９  表示順決定プログラム（表示順決定手段）
【図１】
2006018565.tif 000003
【図２】
2006018565.tif 000004
【図３】
2006018565.tif 000005
【図４】
2006018565.tif 000006
【図５】
2006018565.tif 000007
【図１０】
2006018565.tif 000008
【図１２】
2006018565.tif 000009
【図６】
2006018565.tif 000010
【図７】
2006018565.tif 000011
【図８】
2006018565.tif 000012
【図９】
2006018565.tif 000013
【図１１】
2006018565.tif 000014
【図１３】
2006018565.tif 000015